(57)【要約】【課題】簡単な構成でワークの位置決め精度が向上し、外周曲加工の精度不良が解消するようにしたフランジリフターを提供する。【解決手段】フランジリフター２０は、上下に移動可能なリフターガイドポスト２２と、リフターガイドポストに取り付けたリフトプレート２４と、リフトプレートに取り付けた位置決めゲージ２５と、位置決めゲージにワーク周縁部Ｗａが当たった状態で位置決めゲージが移動しないようリフターガイドポストを止める可動ストッパ２７とを備え、上型１３から下方へ突出した先行ピン１３ｂに押されて位置決めゲージ及びリフターガイドポストが下方へ移動する際に、パッド１２が下方へ移動してワークｗを下型１１の上面１１ａに押圧した後に可動ストッパ２７が退避することで、位置決めゲージ及びリフターガイドポストの制止を解除する。【選択図】図１
2008246571.tif 000002
【特許請求の範囲】
【請求項１】
下型と、下型上に載置したワークを上方から押さえ付けるパッドと、上記パッドが上記ワークを押さえ付けた状態で下型の周縁から突出するワーク周縁部を下方へ折り曲げてフランジ部を形成する上型と、から成るプレス型において、下型の上面に載置されたワークの周縁部を位置決めすると共に、折曲げ加工後のフランジ部を突き上げて下型からワークを離型させるフランジリフターであって、
上下に移動可能なリフターガイドポストと、上記リフターガイドポストに取り付けられたリフトプレートと、上記リフトプレートに取り付けられた位置決めゲージと、上記位置決めゲージに上記ワーク周縁部が当たった状態で上記位置決めゲージが移動しないよう上記リフターガイドポストを止める可動ストッパと、を備えており、
上型から下方へ突出した先行ピンに押されて位置決めゲージ及びリフターガイドポストが下方へ移動する際に、パッドが下方へ移動してワークを下型の上面に押圧した後に可動ストッパが退避することで、位置決めゲージ及びリフターガイドポストの制止を解除することを特徴とする、フランジリフター。
【請求項２】
前記リフターガイドポストが前記可動ストッパを差し込むための孔を備え、
前記上型が下方へ突出した解除部材を備え、
前記可動ストッパが、前記リフターガイドポストに対して横方向に移動可能に配設されていると共に、当接した上記解除部材が下方へ移動することによって前記可動ストッパが横方向へ移動するよう斜面状に形成した当接部を備え、
上記孔に前記可動ストッパが差し込まれて前記位置決めゲージ及び前記リフターガイドポストを制止させた状態で前記上型が下降すると、上記解除部材が上記当接部に当たり、さらに上記解除部材が下方へ移動すると上記解除部材が前記可動ストッパを横方向へシフトさせて該可動ストッパを上記孔から外すことを特徴とする、請求項１に記載のフランジリフター。
【請求項３】
前記可動ストッパが、前記孔に差し込まれるようバネによって前記リフターガイドポスト側へ付勢されていることを特徴とする、請求項２に記載のフランジリフター。
【発明の詳細な説明】
【技術分野】
【０００１】
本発明は、例えば自動車のドアパネルの外周曲加工等を行うプレス型に係り、特にプレス加工の際にワークの位置決めを行うと共にプレス加工後にワークを型から外すためにプレス加工によってワークの周縁に形成されたフランジ部を押し上げるフランジリフターに関するものである。
【背景技術】
【０００２】
従来、例えば自動車のドアパネル等の外周曲加工を行なう場合、図６に示すように、ワークとしてのドアパネルＷの外周に沿って複数箇所に、例えば図示の場合、符号Ｘで示した９箇所にフランジリフターを使用してワークの位置決めを行なう。このフランジリフターは、例えば図７に示すように、ドアパネルの外周曲加工を行なうためのプレス型の周縁に組み込まれている。図７において、プレス型１は、固定配置された下型２と、上下動可能に配置され下型２上にてワークとしてのドアパネルＷを押圧して固定するパッド３と、上下動可能に配置された上型４と、フランジリフター５と、から構成されている。
【０００３】
下型２は固定配置されていると共に、その上面が支持面２ａとしてドアパネルＷを保持するように形成されている。さらに、下型２の支持面２ａの周縁２ｂはドアパネルＷの外周曲加工すべき形状に形成されている。
【０００４】
パッド３は下型２に対して上下動可能に支持されていると共に、ドアパネルＷの外周曲加工の際に下降して、下型２の支持面２ａにドアパネルＷを押さえ付けて下型２にドアパネルＷを固定する。
【０００５】
上型４は上下動可能に支持されていると共に、下降することでその下面の端縁（図示の場合、左側縁）４ａが下型２とパッド３とで挟持されたドアパネルＷの下型２の周縁２ｂから突出する周縁部Ｗａを下方へ折り曲げて、フランジ部を形成するよう外周曲加工を行なう。さらに、上型４は、その下面から下方へ突出する先行ピン４ｂを備えている。
【０００６】
フランジリフター５は、下型２に固定されたケーシング５ａと、ケーシング５ａに対して上下動可能に支持されたリフターガイドポスト５ｂと、このリフターガイドポスト５ｂを上方へ付勢するバネ５ｃと、リフターガイドポスト５ｂの上面に取り付けられたリフトプレート５ｄと、このリフトプレート５ｄの上面に取り付けられた位置決めゲージ５ｅと、リフターガイドポスト５ｂの下型側に固定配置されたストッパ５ｆと、から構成されている。
【０００７】
フランジリフター５のリフターガイドポスト５ｂはバネ５ｃの張力によって持ち上げられて、その段部５ｇがストッパ５ｆに当接する。これにより、リフターガイドポスト５ｂは、図７に示す上限の挿入位置に位置決めされる。この状態で、下型２上にドアパネルＷが載置されたとき、ドアパネルＷの端縁が位置決めゲージ５ｅの側縁に当接することで正確に位置決めされる。ここで、位置決めゲージ５ｅは、その下型２に対向する側縁がドアパネルＷの下型２への載置・位置決めを容易にするように、上方が斜めに切り欠かれている。
【０００８】
ドアパネルＷの外周曲加工を行う際は、上型４が降下しその先行ピン４ｂが位置決めゲージ５ｅ，リフトプレート５ｄそしてリフターガイドポスト５ｂをバネ５ｃの張力に抗して下方へ移動させる。このように、リフターガイドポスト５ｂが退避位置迄に下方移動して、位置決めプレート５ｅがドアパネルＷの端縁から下方へ離反し、上型４がドアパネルＷの端縁を外周曲加工することを可能にする。
【０００９】
このような構成のプレス型１によれば、上型４及びパッド３が下降したとき、パッド３が下型２の支持面２ａに載置されたドアパネルＷに当接して、このドアパネルＷを下型２との間に固定すると共に、上型４の先行ピン４ｂが位置決めゲージ５ｅ，リフトプレート５ｄそしてリフターガイドポスト５ｂをバネ５ｃの張力に抗して下方へ移動させる。さらに上型４が下降することで、上型４の端縁４ａが下型２とパッド３の間から突出するドアパネルＷの周縁部Ｗａを下方へ押動して外周曲加工が行なわれ、ドアパネルＷの外周縁にフランジ部が形成される。
その後、上型４及びパッド３が上昇すると、リフターガイドポスト５ｂもバネ５ｃの張力によって上昇し、リフトプレート５ｄが外周曲加工されたドアパネルＷのフランジ部を突き上げて、ドアパネルＷを下型２から離型させる。
【００１０】
特許文献１には、下型からのワークのフランジ部を突き上げて離型させる際のリフトストロークを縮小するようにしたプレス金型用フランジリフターが開示されている。
【特許文献１】特開２０００−０５１９７８号公報
【発明の開示】
【発明が解決しようとする課題】
【００１１】
ところで、このような構成のフランジリフター５では、上型４が下降してドアパネルＷの外周曲加工を行なうにあたり、図８のタイミング線図に示すように、パッド３が下型２の支持面２ａにワークとしてのドアパネルＷを押さえ付ける前に、フランジリフター５の位置決めゲージ５ｅが上型４と一体的に下降する。即ち、図７に示すように、パッド３がワークを押さえる前に上型４の先行ピン４ｂがフランジリフター５の位置決めゲージ５ｅの上面に当接する。この状態から上型４の下降が進むと位置決めゲージ５ｅが下方移動してドアパネルＷの端縁から離反してから、図９に示すようにパッド３が下型２の支持面２ａに対してドアパネルＷを押圧する。そして、さらに上型４が下降すると、図１０に示すように、上型４の端縁４ａが下型２の支持面２ａの端縁２ｂから外側に突出しているドアパネルＷの周縁部を下方へ押し曲げて、ドアパネルＷの外周曲加工が行なわれる。
【００１２】
このように、従来では、パッド３が下型２の支持面２ａにドアパネルＷを押圧する前にフランジリフター５の位置決めゲージ５ｅが下方へ退避してしまうので、パッド３がドアパネルＷの上面に当接したときドアパネルＷが横方向にずれてしまうことがある。このようなズレに起因して、ドアパネルＷの外周曲加工の精度不良によって、折曲げられたフランジ部の長さにバラツキが発生する。
【００１３】
本発明は、以上の点に鑑みて創作されたものであり、ワークの位置決め精度が向上し、外周曲加工の精度不良が解消するようにした、フランジリフターを提供することを目的としている。
【課題を解決するための手段】
【００１４】
上記目的を達成するために、本発明は、下型と、下型上に載置したワークを上方から押さえ付けるパッドと、パッドがワークを押さえ付けた状態で下型の周縁から突出するワーク周縁部を下方へ折り曲げてフランジ部を形成する上型と、から成るプレス型において、下型の上面に載置されたワークの周縁部を位置決めすると共に、折曲げ加工後のフランジ部を突き上げて下型からワークを離型させるフランジリフターであって、上下に移動可能なリフターガイドポストと、リフターガイドポストに取り付けられたリフトプレートと、リフトプレートに取り付けられた位置決めゲージと、位置決めゲージにワーク周縁部が当たった状態で位置決めゲージが移動しないようリフターガイドポストを止める可動ストッパと、を備えており、上型から下方へ突出した先行ピンに押されて位置決めゲージ及びリフターガイドポストが下方へ移動する際に、パッドが下方へ移動してワークを下型の上面に押圧した後に可動ストッパが退避することで、位置決めゲージ及びリフターガイドポストの制止を解除することを特徴としている。
【００１５】
本発明のフランジリフターにおいて、好ましくは、リフターガイドポストは可動ストッパを差し込むための孔を備え、上型は下方へ突出した解除部材を備え、可動ストッパは、リフターガイドポストに対して横方向に移動可能に配設されていると共に、当接した解除部材が下方へ移動することによって可動ストッパが横方向へ移動するよう斜面状に形成した当接部を備え、孔に可動ストッパが差し込まれて位置決めゲージ及びリフターガイドポストを制止させた状態で上型が下降すると、解除部材が当接部に当たり、さらに解除部材が下方へ移動すると解除部材が可動ストッパを横方向へシフトさせて可動ストッパを孔から外す。可動ストッパは孔に差し込まれるようバネによってリフターガイドポスト側へ付勢されているのが望ましい。
【発明の効果】
【００１６】
本発明によれば、上型の下降に伴ってパッドが下型の支持面に載置されたワークに当接して、このワークを下型との間に固定保持した後に、フランジリフターの位置決めゲージが下方へ退避するので、パッドがワーク表面に当接する際に、下型の支持面上で位置決めゲージによって位置決めされた所定位置からワークがずれてしまうようなことがない。これにより、ワークの位置決め精度が向上し、精度不良によってフランジ部の長さにバラツキが発生することがなく、製品歩留まりが向上する。
【発明を実施するための最良の形態】
【００１７】
以下、図面に示した実施形態に基づいて本発明を詳細に説明する。
図１は本発明の実施形態に係るフランジリフター２０を備えたドアパネル外周曲加工用のプレス型１０の構成を示す図である。プレス型１０は、固定配置された下型１１と、下型１１上に載置したワークとしてのドアパネルＷを上方から押さえ付けるパッド１２と、上下動可能に配置された上型１３と、フランジリフター２０と、を備えている。
【００１８】
下型１１は固定配置されていると共に、その上面が支持面１１ａとしてドアパネルＷを載置するように形成されている。さらに、下型１１の支持面１１ａの周縁１１ｂはドアパネルＷの外周曲加工すべき形状に形成されている。
【００１９】
パッド１２は下型１１に対して上下動可能に支持されていると共に、ドアパネルＷの外周曲加工の際に下降して下型１１の支持面１１ａにドアパネルＷを押圧して下型１１にドアパネルＷを固定する。
【００２０】
上型１３は上下動可能に支持されていると共に、ドアパネルＷの外周曲加工の際に下降してその下面の端縁部（図示の場合、左側縁）１３ａが下型１１とパッド１２とで挟持されたドアパネルＷの下型１１の周縁１１ｂから突出する周縁部Ｗａを下方へ折り曲げてフランジ部を形成するよう外周曲加工を行なう。さらに、上型１３は、その下面から下方へ突出する先行ピン１３ｂと解除部材としてのドライバー１３ｃとを備えている。
【００２１】
先行ピン１３ｂは、図７に示した従来のプレス型１と異なり、上下動可能に上型１３に支持されていると共に、バネ１３ｄによって下方へ移動するよう付勢されている。また、先行ピン１３Ｂは、上型１３から抜け落ちないように上型１３の底面に取り付けた押さえプレート１３ｆで下方への突出量が規制されている。
一方、ドライバー１３ｃは上型１３の下面から下方へ突出するよう上型１３に固定されている。このドライバー１３ｃはその下端付近に斜面１３ｅを備えている。この斜面１３ｅは、ドライバー１３ｃの外側、即ち、下型１１と向かい合う内側に対してその反対に位置する側部の下部を切り欠くようにして、外側へ行くにつれて高くなり、斜め下方向に向いた面として形成されている。
【００２２】
フランジリフター２０は、下型１１に固定されたケーシング２１と、上下動可能にケーシング２１に支持されたリフターガイドポスト２２と、このリフターガイドポスト２２を上方へ移動するよう付勢するバネ２３と、リフターガイドポスト２２の上面に取り付けられたリフトプレート２４と、このリフトプレート２４の上面に取り付けられた位置決めゲージ２５と、リフターガイドポスト２２の下型１１側でケーシング２１に固定された固定ストッパ２６と、下型１１側とは反対のリフターガイドポスト外側位置でケーシング２１のフラットな上面２１ａに対してスライド可能にケーシング２１に配設された可動ストッパ２７と、を備えている。
【００２３】
フランジリフター２０のリフターガイドポスト２２はバネ２３の張力によって上方へ持ち上げられると、その段部２２ａが固定ストッパ２６に当接する。このように、リフターガイドポスト２２は、固定ストッパ２６によって図１に示す上限位置に位置決めされる。なお、バネ２３の張力は前述した上型１３の先行ピン１３ｂを下方へ付勢するバネ１３ｄに比べて小さな張力を有する。また、図１に示すようにリフターガイドポスト２２が上限位置にある状態で、リフターガイドポスト２２の上端部に取り付けた位置決めゲージ２５が下型１１上に載置したドアパネルＷの周縁部と当接してドアパネルＷを正確に位置決めするよう、リフターガイドポスト２２の上限位置は設定されている。位置決めゲージ２５は、その下型１１に対向する側縁がドアパネルＷの下型１１への載置を容易にするよう、上端を斜めに切り欠いて形成されている。
【００２４】
可動ストッパ２７は、図１で横方向に移動可能にケーシング２１に支持されていると共にバネ２７ａによって左方へ付勢されている。この可動ストッパ２７の先端２７ｂがバネ２７ａの張力によって上限位置に在るリフターガイドポスト２２の側面に設けられた係合孔２２ｂ内に嵌入すると、リフターガイドポスト２２の下方への移動を規制してリフターガイドポスト２２を上限位置に留める。
【００２５】
さらに、可動ストッパ２７の上面には、前述した上型１３のドライバー１３ｃの斜面１３ｅと当接する、斜面１３ｅとほぼ平行な斜面２７ｃを備えている。また、図１及び図４に示すように、可動ストッパ２７には、斜面２７ｃに隣接した位置にドライバー１３ｃを挿通させるための貫通孔２７ｄが形成されている。また、貫通孔２７ｄを通過したドライバー１３ｃが差し込まれる穴２１ｂがケーシング２１に開設されている。可動ストッパ２７は、ケーシング２１に取り付けたガイド２１ｃに案内支持されて上面２１ａ上を移動する。このように可動ストッパ２７の周辺が構成されることで、上型１３の下降に伴ってドライバー１３ｃが下降したとき、斜面１３ｅ及び２７ｃが互いにカム面として摺動することで、可動ストッパ２７がバネ２７ａの張力に抗して図１に右方へガイド２１ｃによって案内されて移動し、その先端２７ｂがリフターガイドポスト２２の係合孔２２ｂから引き出されることで、リフターガイドポスト２２の制止が解除される。
なお、ドライバー１３ｃの斜面１３ｅと可動ストッパ２７の斜面２７ｃとは、上型１３そしてドライバー１３ｃの下降に伴って、上型１３と連動して下降するパッド１２が下型１１上でドアパネルＷを押圧して固定保持した後に可動ストッパ２７が退避、即ちリフターガイドポスト２２の係合孔２２ｂから外れて、リフターガイドポスト２２のロックを解除してリフターガイドポスト２２が下方移動し得るように、配置されている。
【００２６】
また、ドアパネルＷの外周曲加工のために上型１３が降下してドライバー１３ｃによって可動ストッパ２７が退避したとき、上型１３の先行ピン１３ｂが位置決めゲージ２５，リフトプレート２４そしてリフターガイドポスト２２をバネ２３の張力に抗して下方へ移動させる。これにより、リフターガイドポスト２２が退避位置に下方移動して、位置決めプレート２５がドアパネルＷの周縁部から下方へ離反し、上型１３がドアパネルＷの端縁を外周曲加工することを可能にする。
【００２７】
本実施形態に係るプレス型１０は以上のように構成されており、以下のように動作させてワークの周縁にフランジ部を形成する。
先ず、下型１１の載置面１１ａにワークとしてのドアパネルＷが載置される。このとき、リフターガイドポスト２２が上限位置に在るので、位置決めゲージ２５によってドアパネルＷは下型１１の支持面１１ａ上で所定位置に正確に位置決めされる。
【００２８】
次に、上型１３及びパッド１２が下降すると、図１に示すように上型１３の先行ピン１３ｂの先端がフランジリフター２０の位置決めゲージ２５の上面に当接する。このとき、リフターガイドポスト２２は可動ストッパ２７によって下方への移動が規制されて上限位置に留まるので、リフターガイドポスト２２，リフトプレート２４及び位置決めゲージ２５は下降せずに、上型１３の先行ピン１３ｂがバネ１３ｄの張力に抗して相対的に上方へ移動しながら、上型１３及びパッド１２が下降する。
【００２９】
上型１３のドライバー１３ｃの斜面１３ｅが下方へ移動することによって、図５中の符号Ａで示すタイミングで、可動ストッパ２７の斜面２７ｃがドライバー１３ｃの斜面１３ｅに摺接してドライバー１３ｃによって押され、可動ストッパ２７がバネ２７ａの張力に抗して右方への移動を開始する。ドライバー１３ｃの下方移動が進むと、図５中の符号Ｂで示すタイミングで、可動ストッパ２７の先端２７ｂがリフターガイドポスト２２の係合孔２２ｂから引き出されて、可動ストッパ２７によるリフターガイドポスト２２のロックが解除される。
【００３０】
上型１３及びパッド１２がさらに下降すると、図５中の符号Ｃで示すタイミングで図２に示すように、パッド１２が下型１１の支持面１１ａ上に載置されたドアパネルＷを上方から押圧する。これにより、ドアパネルＷが下型１１上に固定される。このとき、ドアパネルＷは位置決めゲージ２５によって位置決めされた状態にあるので、パッド１２の当接によってドアパネルＷが下型１１の支持面１１ａ上でずれる事態は生じない。
【００３１】
一方、上型１３の先行ピン１３ｂを下方へ付勢するバネ１３ｄがリフターガイドポスト２２を上方へ付勢するバネ２３より張力が大きいので、リフターガイドポスト２２のロック解除によって上型１３の下降に伴い上型１３の先行ピン１３ｂが位置決めゲージ２５，リフトプレート２４及びリフターガイドポスト２２を下方へ移動させる。
従って、上型１３の下降によって、図５中の符号Ｄで示すタイミングで、リフターガイドポスト２２そしてリフトプレート２４及び位置決めゲージ２５が下方へ移動して、位置決めゲージ２５がドアパネルＷの周縁部Ｗａから離反する。
【００３２】
上型１３が図５中の符号Ｅで示すタイミングで最下位置（下死点）まで移動することで、図３に示すように、上型１３の端縁部１３ａが下型１１とパッド１２との間から突出するドアパネルＷの周縁を下方へ押動して外周曲加工が行なわれ、ドアパネルＷの外周縁にフランジ部が形成される。
【００３３】
その後、図示を省略するが、上型１３及びパッド１２が上昇すると、リフターガイドポスト２２もバネの張力によって上昇する。その際、リフトプレート２４が外周曲加工されたドアパネルＷのフランジ部を突き上げて、ドアパネルＷを下型１１から離型させる。さらに、上型１３及びパッド１２が上昇すると、バネ２３の張力によって、リフターガイドポスト２２，リフトプレート２４及び位置決めゲージ２５が上限位置に復帰する。
【００３４】
ドライバー１３ｃが上昇することで、可動ピン２７がドライバー１３ｃから解放されるので、可動ピン２７はバネ２７ａの張力によって左方へ移動する。そして、先端２７ｂがリフターガイドポスト２２の係合孔２２ｂ内に嵌入することで、リフターガイドポスト２２が再び上限位置にロックされる。
【００３５】
このように、本発明の実施形態に係るフランジリフター２０によれば、上型１３の下降に伴ってパッド１２が下型１１の支持面１１ａに載置されたワークＷに当接して、このワークＷを下型１１との間に固定した後に、フランジリフター２０の位置決めゲージ２５が下方へ退避する。よって、パッド１２がワーク表面に当接する際に、下型１１の支持面上で位置決めゲージ２５によって位置決めされた所定位置からワークＷがずれることがない。したがって、ワークＷの位置決め精度が向上し、精度不良によりフランジ部の長さにバラツキが発生する事態を防止でき、製品歩留まりが向上する。
【００３６】
以上説明したが、本発明はその趣旨を逸脱しない範囲において様々な形態で実施をすることができる。可動ストッパ２７は斜面２７ｃ，１３ｅのカム作用により上型１３の下降に伴って退避するが、このような構成に限らず、上型１３の下降に伴ってパッド１２がドアパネルＷに当接して下型１１に対して押圧した後に、可動ストッパ２７を退避させるものであれば、任意の機構，駆動手段等が使用されることは明らかである。また、ワークＷはドアパネルに限らず、他の任意の自動車の構成部材であってもよい。
【図面の簡単な説明】
【００３７】
【図１】本発明の実施形態に係るフランジリフターを備えた外周曲加工用プレス型を示す概略断面図である。
【図２】図１のプレス型の上型下降時にパッドがワークに当接した状態を示す概略断面図である。
【図３】図１のプレス型の上型が完全に下降した状態を示す概略断面図である。
【図４】図３のＡ−Ａ線断面図である。
【図５】図１のプレス型における上型下降時のタイミング線図である。
【図６】ドアパネルの外周曲加工時に使用されるフランジリフターの配置を示す概略図である。
【図７】従来のフランジリフターを備えた外周曲加工用プレス型を示す概略断面図である。
【図８】図７のプレス型における上型下降時のタイミング線図である。
【図９】図７のプレス型の上型下降時にパッドがワークに当接した状態を示す概略断面図である。
【図１０】図７のプレス型の上型が完全に下降した状態を示す概略断面図である。
【符号の説明】
【００３８】
１０    プレス型
１１    下型
１１ａ  支持面
１１ｂ  周縁
１２    パッド
１３    上型
１３ａ  端縁部
１３ｂ  先行ピン
１３ｃ  ドライバー
１３ｄ  バネ
１３ｅ  斜面
２０    フランジリフター
２１    ケーシング
２２    リフターガイドポスト
２２ａ  段部
２２ｂ  係合孔
２３    バネ
２４    リフトプレート
２５    位置決めゲージ
２６    固定ストッパ
２７    可動ストッパ
２７ａ  バネ
２７ｂ  先端
２７ｃ  斜面
Ｗ      ドアパネル（ワーク）
【図１】
2008246571.tif 000003
【図２】
2008246571.tif 000004
【図３】
2008246571.tif 000005
【図４】
2008246571.tif 000006
【図５】
2008246571.tif 000007
【図６】
2008246571.tif 000008
【図７】
2008246571.tif 000009
【図８】
2008246571.tif 000010
【図９】
2008246571.tif 000011
【図１０】
2008246571.tif 000012